(57)【特許請求の範囲】
【請求項１】
内部視認可能な筒部と、この筒内を筒軸線方向に延ばされた細線材と、この細線材に回転自在に保持された回転羽根と、筒部内を給気口又は排気口に連通させる受け口とを有し、回転羽根は、筒部内で一定以上の空気圧を受けたとき細線材を軸として回転するものとなされており、かつ、細線材を引張り状態にするバネ手段が備えられていることを特徴とする風量検定器。
【発明の詳細な説明】
【０００１】
【発明の属する技術分野】
本発明は、風量検定器に関する。
【０００２】
【従来の技術及び課題】
例えば、建物の内部を静かにゆっくりと換気するシステムにおいて、その給気口や排気口を通過する風量は、微風量に設定されている場合があり、換気システムが全体として適正に機能しているかどうかを確認するため、これら吸気口や排気口における風量が適正であるか否か検定する必要がある。
【０００３】
従来より、例えば上記のような場合に使用しうる風量検定器として、いくつかの風量測定器が提供されている。しかし、それらは非常に高価なものであり、そのような風量測定器を用いて風量検定を行ったのでは、風量検定に要するコストが高くついてしまうという問題があった。
【０００４】
最も簡便な検定方法として、線香やたばこの煙で給気口や排気口における空気の流れを見る方法もあるが、この方法では、検定を行う者によって検定の結果がまちまちとなりやすく、客観的な検定結果を得るのが難しいという問題がある。
【０００５】
特に、微風量の場合は、風量がわずかであるから、煙の動きが、ブラウン運動によるものであるのか、吸気口や排気口を通過する空気の流れによるものであるかを客観的に判別するのが難しい場合もある。
【０００６】
本発明は、上記のような従来の問題点に鑑み、給気口や排気口における微風量の風量検定を低いコストで簡易に行うことができ、しかも、信頼性ある客観的な検定結果を得ることができる風量検定器を提供することを課題とする。
【０００７】
【課題を解決するための手段】
上記の課題は、内部視認可能な筒部と、この筒内を筒軸線方向に延ばされた細線材と、この細線材に回転自在に保持された回転羽根と、筒部内を給気口又は排気口に連通させる受け口とを有し、回転羽根は、筒部内で一定以上の空気圧を受けたとき細線材を軸として回転するものとなされていることを特徴とする風量検定器によって解決される。
【０００８】
即ち、この検定器では、受け口を給気口又は排気口と連通状態にすると、筒内の回転羽根が風圧を受け、その風圧が一定以上の風圧である場合は、回転羽根が細線材を軸として回転する。検定を行う者は、内部視認可能な筒内のこの回転羽根の回転の有無を見ることで、給気口又は排気口において微風量の空気が適正に給排気されているかどうかを客観的に把握することができ、客観的で信頼性の高い検定結果を得ることができる。使用する回転羽根や細線材、細線材による回転羽根の枢着構造を選定することで、微風量の検定であっても客観的かつ正確に行うことが可能である。
【０００９】
しかも、この風量検定器は、内部視認可能な筒部内に細線材と回転羽根を収容させただけの簡易な低コストの検定器であり、この検定器を用いて風量検定を行うことにより、風量検定をコスト的に有利に行うことができる。
【００１０】
加えて、本発明の風量検定器は、給排気のいずれの風量検定にも同じ構造の検定器を使用することができる。回転羽根の回転方向が逆になるだけである。
【００１１】
また、細線材を引張り状態にするバネ手段が備えられている場合は、細線材に取り付けられる回転羽根の、微風量に対する回転応答性を非常に良好なものにすることができ、検定の精度を向上することができる。
【００１２】
【発明の実施の形態】
次に、本発明の実施形態を図面に基づいて説明する。
【００１３】
図１（イ）に示す風量検定器１において、２は筒部、１２は細線材、１３は回転羽根、４は受け口、５は連絡管である。
【００１４】
筒部２は、内部視認可能な透明な真っ直ぐな管からなり、その内部には、細線材１２が、筒軸芯位置において、筒軸線方向に延びて備えられている。この細線材１２は、金属、繊維、樹脂などによる非常に細い低摩擦の線材からなり、その少なくとも一方の端部、又は、図示の実施形態の場合は両方の端部に、バネ１４，１４が連結され、細線材１２は、このバネ１４，１４を介して、両端を筒部２に留められている。これにより、細線材１２は、筒部２内で、バネ１４，１４の弾性復元力を受けて引張り状態にされている。
【００１５】
そして、この引張り状態にされた細線材１２の長さ方向の特定の位置、例えば中間部の特定位置に、回転羽根１３が回転自在に保持されている。回転羽根１３は、ごく軽量にして慣性力が小さく、細線材１２の軸線方向に作用する風圧に敏感に応答して回転動作を行いうるものであればよい。回転羽根１３の保持は、図示しないが、例えば、細線材１２に低摩擦の小さな玉を取り付けることなどで行ってもよいし、その他の方法で行ってもよい。要は、回転羽根１３の自由な回転を妨げない態様の保持構造であればよい。
【００１６】
そして、上記の筒部２の一端に連絡管５が気密連通状態に接続され、この連絡管５を介して、受け口４が気密連通状態に接続されている。受け口４は、天井面２３に設けられている給気口２１を覆い囲むようにして天井面２３に全周当接される構成となっており、受け口４と天井面２３との間の隙間から空気が抜けないようになっている。
【００１７】
上記の風量検定器１では、図１（ロ）に示すように、この検定器１を手にもって、受け口４を天井面２３の給気口２１に対し、天井面２３に全周当接するように押し当てると、給気口２１からの風圧が、受け口４、連絡管５を介して、筒部２内に作用する。
【００１８】
この風圧が換気に必要な微風量の大きさのものであれば、その風圧で、回転羽根１３が細線材１２を軸として回転する。細線材１２は、バネ１４，１４により引張り状態にされているから、微風量に対する回転羽根１３の応答性は非常に良く、微風量の風圧に対し精度良く応答することができる。
【００１９】
一方、給気口２１から風量が換気に必要な微風量に達しないものである場合、例えば、風量がないというような場合は、回転羽根１３は回転しない。
【００２０】
回転羽根１３のこの回転の有無を、検定者が、透明な筒部２を通じて外から見ることで、給気口２１から給気されている微風量が適正な微風量であるかどうか客観的に検定することができる。
【００２１】
以上のようにして、給気口２１における微風量の、客観的で信頼性ある風量検定を行うことができる。しかも、この風量検定器１は、透明な筒部２に細線材１２と回転羽根１３等を収容し、受け口４を備えさせただけの簡素な構造のものであるから、この風量検定器１を用いることによって、給気口２１における微風量の風量検定を低いコストで簡易に行うことができる。なお、排気口についても、この風量検定器１を用いて検定を行うことができる。
【００２２】
なお、上記の実施形態では、細線材１２にバネ１４，１４で引張り力を付与している場合を示しているが、細線材１２がそれ自体でピンと張った構造のものであれば、引張り力を付与しない構造としてもよい。また、上記の実施形態では、回転羽根１３を細線材１２に沿う特定の位置に保持する構造としているが、風圧により昇降される態様で保持されていてもよく、この場合も、細線材１２に引張り力を付与する意味は大きい。また、筒部を横向きなどにした構造の検定器に構成されていてもよい。
【００２３】
【発明の効果】
上述の次第で、本発明は、以上のとおりのものであるから、給気口や排気口における微風量の風量検定を低いコストで簡易に行うことができ、しかも、信頼性ある客観的な検定結果を得ることができる。
【図面の簡単な説明】
【図１】実施形態を示すもので、図（イ）は風量検定器の側面図、図（ロ）はその検定器で給気口の風量を検定している状態を示す側面図である。
【符号の説明】
１…風量検定器
２…筒部
４…受け口
１２…細線材
１３…回転羽根
１４…バネ（バネ手段）
２１…給気口
【図１】
0004439632.tif 000002